(57)【要約】【課題】  テレビ受像機の動作を操作することができ、利便性が向上した携帯電話機を提供することを目的とする。【解決手段】  テレビ放送の視聴中に表示筐体が横長状態で折り畳まれた場合に、家庭用テレビ受像機１００の電源をオンするための信号及びチューナ２６で抽出されたテレビ放送波のチャンネル番号をリモコン信号送信部２７から送信する。その後、露出している操作キー４の操作に基づいて、家庭用テレビ受像機１００の動作を操作するための信号を送信する。これにより、表示筐体を折り畳む操作に連動させて、自動的に家庭用テレビ受像機１００の電源をオンして、その家庭用テレビ受像機１００で継続して同じチャンネル番号のテレビ放送を視聴することができ、その後は露出した操作キー４の操作により家庭用テレビ受像機１００の動作を操作することができるので、利便性が向上する。【選択図】  図１２
2007195121.tif 000002
【特許請求の範囲】
【請求項１】
第１筐体面に表示画面が形成された長方形の表示筐体と、
第２筐体面に２以上の操作キーが形成された操作筐体と、
上記表示筐体の第１筐体面を上記操作筐体の第２筐体面に対向するように折り畳み可能に保持する保持手段と、
テレビ放送波を受信するテレビ放送受信手段と、
指定されたチャンネル番号のテレビ放送波を抽出するチューニング手段と、
抽出されたテレビ放送波に基づくテレビ画像を上記表示画面に表示させるテレビ画像表示手段と、
テレビ受像機へ無線信号を送信するための信号送信手段とを備え、
上記信号送信手段は、テレビ画像の表示中に上記表示筐体が折り畳まれる操作に連動して、テレビ受像機の電源をオンするための信号及び上記チューニング手段により抽出されたテレビ放送波のチャンネル番号を送信することを特徴とする携帯電話機。
【請求項２】
上記操作キーの操作に対して実行される処理を割り当てるキー割り当て手段を備え、
上記保持手段は、上記表示筐体を縦長状態及び横長状態となるように上記表示画面に水平な面内で回転可能に保持し、
上記表示筐体が横長状態で折り畳まれたときに、上記操作筐体における上記２以上の操作キーの一部が、上記表示筐体の第１筐体面に対向するようになっており、
上記キー割り当て手段は、テレビ画像の表示中に上記表示筐体が横長状態で折り畳まれる操作に連動して、上記第１筐体面に対向しない操作キーに対して、上記信号送信手段からテレビ受像機の動作を操作するための信号を送信する処理を割り当てることを特徴とする請求項１に記載の携帯電話機。
【請求項３】
上記表示筐体が横長状態で折り畳まれているときに、上記第１筐体面に対向しない操作キーに対する操作の履歴を格納する操作履歴格納手段を備え、
上記キー割り当て手段は、上記第１筐体面に対向しない操作キーに対して、上記信号送信手段からテレビ受像機にテレビ放送波のチャンネル番号を切り替えるための信号を送信する処理を割り当てるものであり、
上記テレビ画像表示手段は、上記表示筐体が横長状態で折り畳まれている状態から開かれる操作に連動して、上記操作履歴格納手段に格納されている履歴に応じたチャンネル番号のテレビ画像を上記表示画面に表示させることを特徴とする請求項２に記載の携帯電話機。
【請求項４】
上記信号送信手段は、テレビ画像の表示中に上記表示筐体が横長状態で折り畳まれる操作に連動して、テレビ受像機の電源をオンとオフに相互に切り替えるための信号を送信し、
上記キー割り当て手段は、上記第１筐体面に対向しない操作キーに対して、上記信号送信手段からテレビ受像機の電源をオンとオフに相互に切り替えるための信号を送信する処理を割り当てることを特徴とする請求項２に記載の携帯電話機。
【請求項５】
上記信号送信手段は、上記表示筐体が横長状態で折り畳まれている状態から開かれる操作に連動して、テレビ受像機の電源をオフするための信号を送信することを特徴とする請求項２に記載の携帯電話機。
【請求項６】
上記信号送信手段は、上記表示筐体が横長状態で折り畳まれている状態から縦長状態へ回転される操作に連動して、テレビ受像機の電源をオフするための信号を送信することを特徴とする請求項２に記載の携帯電話機。
【発明の詳細な説明】
【技術分野】
【０００１】
本発明は、携帯電話機に係り、さらに詳しくは、テレビ放送波を受信可能な携帯電話機の改良に関する。
【背景技術】
【０００２】
携帯電話機からテレビ受像機に信号を送信することにより、テレビ受像機の動作を操作することができるような技術が提案されている（例えば、特許文献１）。この種の携帯電話機では、操作キーを操作してテレビ放送局を選択することにより、携帯電話機で視聴中のテレビ放送に基づく映像をテレビ受像機に表示させることができる。
【０００３】
一方で、表示画面が形成された表示筐体と、多数の操作キーが配置された操作筐体とを備え、表示筐体が表示画面に水平な面内で操作筐体により回転可能に保持された携帯電話機が知られている（例えば、特許文献２，３）。
【０００４】
この種の携帯電話機では、例えば、表示画面が長方形形状に形成されており、操作筐体に対して表示筐体を回転させることにより、表示画面の長手方向を上下方向として表示を行う縦長状態と、表示画面の短手方向を上下方向として表示を行う横長状態とに切り替えて使用することができるようになっている。
【０００５】
表示筐体は、操作筐体に対向するように折り畳み可能に保持されている。したがって、この種の携帯電話機では、表示筐体が縦長状態で操作筐体に対向するように折り畳まれた場合には、すべての操作キーに表示筐体が対向して、いずれの操作キーも操作することができなくなる。これに対して、表示筐体が横長状態で折り畳まれた場合には、いくつかの操作キーのみが表示筐体に対向し、他の操作キーは操作可能な状態となる。
【特許文献１】特開２００５−２１０２６０号公報
【特許文献２】特開２００３−３１９０４３号公報
【特許文献３】特開２００４−２１５１８０号公報
【発明の開示】
【発明が解決しようとする課題】
【０００６】
しかしながら、上記特許文献１に開示されているような技術は、操作キーの操作に基づいて、テレビ受像機へ電源ＯＮ信号やチャンネル切替信号を送信するものであり、携帯電話機においてテレビ放送の視聴を終了するための操作が行われることに連動させて、そのテレビ放送をテレビ受像機で継続して視聴することができるような構成ではなかった。
【０００７】
また、上記特許文献２，３のように表示筐体を縦長状態及び横長状態に回転可能な携帯電話機において、表示筐体が横長状態で折り畳まれた場合には、いくつかの操作キーのみが表示筐体に対向し、他の操作キーは露出した状態となるので、それらの露出している操作キーを用いて、テレビ受像機の動作を操作することができれば便利である。
【０００８】
本発明は、上記の事情に鑑みてなされたものであり、テレビ受像機の動作を操作することができ、利便性が向上した携帯電話機を提供することを目的とする。
【課題を解決するための手段】
【０００９】
第１の本発明による携帯電話機は、第１筐体面に表示画面が形成された長方形の表示筐体と、第２筐体面に２以上の操作キーが形成された操作筐体と、上記表示筐体の第１筐体面を上記操作筐体の第２筐体面に対向するように折り畳み可能に保持する保持手段と、テレビ放送波を受信するテレビ放送受信手段と、指定されたチャンネル番号のテレビ放送波を抽出するチューニング手段と、抽出されたテレビ放送波に基づくテレビ画像を上記表示画面に表示させるテレビ画像表示手段と、テレビ受像機へ無線信号を送信するための信号送信手段とを備え、上記信号送信手段は、テレビ画像の表示中に上記表示筐体が折り畳まれる操作に連動して、テレビ受像機の電源をオンするための信号及び上記チューニング手段により抽出されたテレビ放送波のチャンネル番号を送信するように構成される。
【００１０】
このような構成により、テレビ画像の表示中に表示筐体を折り畳むことによって、自動的にテレビ受像機の電源をオンし、そのテレビ受像機に、それまで表示画面に表示されていたテレビ画像のチャンネル番号と同じチャンネル番号のテレビ画像を表示させることができる。
【００１１】
したがって、表示筐体を折り畳むというテレビ放送の視聴を終了しようとする操作に連動させて、自動的にテレビ受像機の電源をオンして、そのテレビ受像機で継続して同じチャンネル番号のテレビ放送を視聴することができるので、利便性が向上する。
【００１２】
第２の本発明による携帯電話機は、上記操作キーの操作に対して実行される処理を割り当てるキー割り当て手段を備え、上記保持手段は、上記表示筐体を縦長状態及び横長状態となるように上記表示画面に水平な面内で回転可能に保持し、上記表示筐体が横長状態で折り畳まれたときに、上記操作筐体における上記２以上の操作キーの一部が、上記表示筐体の第１筐体面に対向するようになっており、上記キー割り当て手段は、テレビ画像の表示中に上記表示筐体が横長状態で折り畳まれる操作に連動して、上記第１筐体面に対向しない操作キーに対して、上記信号送信手段からテレビ受像機の動作を操作するための信号を送信する処理を割り当てるように構成される。
【００１３】
このような構成により、テレビ画像の表示中に表示筐体を横長状態で折り畳んだ後、表示筐体に対向せずに露出した操作キーを操作することにより、自動的に電源がオンされたテレビ受像機の動作を操作することができるので、利便性がさらに向上する。
【００１４】
第３の本発明による携帯電話機は、上記表示筐体が横長状態で折り畳まれているときに、上記第１筐体面に対向しない操作キーに対する操作の履歴を格納する操作履歴格納手段を備え、上記キー割り当て手段は、上記第１筐体面に対向しない操作キーに対して、上記信号送信手段からテレビ受像機にテレビ放送波のチャンネル番号を切り替えるための信号を送信する処理を割り当てるものであり、上記テレビ画像表示手段は、上記表示筐体が横長状態で折り畳まれている状態から開かれる操作に連動して、上記操作履歴格納手段に格納されている履歴に応じたチャンネル番号のテレビ画像を上記表示画面に表示させるように構成される。
【００１５】
このような構成により、表示筐体が横長状態で折り畳まれて、自動的に電源がオンされたテレビ受像機で受信するテレビ放送波のチャンネル番号を、露出した操作キーの操作により切り替えることができる。このとき、操作キーに対する操作の履歴が操作履歴格納手段に格納されるので、その後に表示筐体を横長状態のまま開いたときに、操作履歴格納手段に格納されている履歴に基づいて、それまでテレビ受像機で受信していたテレビ放送波のチャンネル番号と同じチャンネル番号のテレビ画像を表示画面に表示させることができる。
【００１６】
したがって、表示筐体を折り畳まれている状態から開くというテレビ放送の視聴を再開しようとする操作に連動させて、自動的に、テレビ受像機で受信していたテレビ放送波のチャンネル番号と同じチャンネル番号のテレビ画像を表示画面に表示させ、そのテレビ放送を継続して視聴することができるので、利便性がさらに向上する。
【００１７】
第４の本発明による携帯電話機において、上記信号送信手段は、テレビ画像の表示中に上記表示筐体が横長状態で折り畳まれる操作に連動して、テレビ受像機の電源をオンとオフに相互に切り替えるための信号を送信し、上記キー割り当て手段は、上記第１筐体面に対向しない操作キーに対して、上記信号送信手段からテレビ受像機の電源をオンとオフに相互に切り替えるための信号を送信する処理を割り当てるように構成される。
【００１８】
このような構成により、表示筐体が横長状態で折り畳まれて、自動的にオンされたテレビ受像機の電源を、露出した操作キーの操作によりオフすることができる。また、表示筐体が横長状態で折り畳まれる際に、既にテレビ受像機の電源がオンしている場合には、表示筐体が折り畳まれる操作に連動して、テレビ受像機の電源がオフしてしまうが、このような場合には、表示筐体を折り畳んだ後に露出している操作キーを操作することにより、テレビ受像機の電源をオンすることができる。したがって、利便性がさらに向上する。
【００１９】
第５の本発明による携帯電話機において、上記信号送信手段は、上記表示筐体が横長状態で折り畳まれている状態から開かれる操作に連動して、テレビ受像機の電源をオフするための信号を送信するように構成される。
【００２０】
このような構成により、表示筐体を折り畳まれている状態から開くというテレビ放送の視聴を再開しようとする操作に連動させて、自動的にテレビ受像機の電源をオフし、テレビ受像機で受信していたテレビ放送波のチャンネル番号と同じチャンネル番号のテレビ画像を表示画面に表示させて、そのテレビ放送を継続して視聴することができるので、利便性がさらに向上する。
【００２１】
第６の本発明による携帯電話機において、上記信号送信手段は、上記表示筐体が横長状態で折り畳まれている状態から縦長状態へ回転される操作に連動して、テレビ受像機の電源をオフするための信号を送信するように構成される。
【００２２】
このような構成により、表示筐体を横長状態で折り畳まれている状態から縦長状態へ回転させる操作に連動させて、自動的にテレビ受像機の電源をオフすることができる。表示筐体が折り畳まれた状態のまま縦長状態になると、露出していた操作キーが表示筐体に対向して操作できなくなるため、このような操作に連動させてテレビ受像機の電源をオフすることにより、利便性がさらに向上する。
【発明の効果】
【００２３】
本発明によれば、テレビ画像の表示中に表示筐体を折り畳むことによって、自動的にテレビ受像機の電源をオンし、そのテレビ受像機に、それまで表示画面に表示されていたテレビ画像のチャンネル番号と同じチャンネル番号のテレビ画像を表示させることができるので、利便性が向上する。また、本発明によれば、テレビ画像の表示中に表示筐体を横長状態で折り畳んだ後、表示筐体に対向せずに露出した操作キーを操作することにより、自動的に電源がオンされたテレビ受像機の動作を操作することができるので、利便性がさらに向上する。
【発明を実施するための最良の形態】
【００２４】
図１は、本発明の実施の形態による携帯電話機１の一例を示した斜視図であり、筐体を閉じた状態を示している。図２は、図１の携帯電話機１の筐体を展開した状態を示した斜視図である。この携帯電話機１は、いわゆる折り畳み式の携帯電話機であり、それぞれ長方形形状に形成された表示筐体２及び操作筐体５がヒンジ部３を介して連結され、表示筐体２及び操作筐体５の筐体面を対向させた状態で折り畳むことができるようになっている。
【００２５】
表示筐体２には、折り畳んだ状態で操作筐体５に対向する内面にメイン表示部２ａ及び受話用レシーバ８が配置されている。メイン表示部２ａは、長方形形状に形成されており、その長手方向が表示筐体２の長手方向と一致するように配置されている。受話用レシーバ８は、表示筐体２におけるヒンジ部３と反対側の端部に配置されている。
【００２６】
操作筐体５には、折り畳んだ状態で表示筐体２に対向する内面に多数の操作キー４及び送話用マイクロホン７が配置されている。多数の操作キー４には、他の通信端末に対して呼び出しを行うためのキーや、各種設定操作を行うためのキーが含まれる。より具体的には、操作筐体５の内面におけるヒンジ部３側には、メニューキーなどの設定操作を行うためのキーが配置されており、ヒンジ部３と反対側には、テンキーなどの呼び出し時に操作されるキーが配置されている。送話用マイクロホン７は、操作筐体５におけるヒンジ部３と反対側の端部に配置されている。
【００２７】
このような折り畳み式携帯電話機１は、コンパクトに折り畳んだ状態で携帯することができ、筐体を展開させれば、メイン表示部２ａの表示を見ながら、操作キー４を押下操作することができる。また、この携帯電話機１は、図２に示すようにメイン表示部２ａを縦長状態として表示筐体２の内面に耳を当てることにより、送話用マイクロホン７に口を近づけるとともに、受話用レシーバ８に耳を近づけて、良好に通話を行うことができるようになっている。
【００２８】
ヒンジ部３は、操作筐体５に対して回動可能に連結される連結部３ａと、表示筐体２の外面に対向して表示筐体２を保持する保持部３ｂとが一体的に形成された構成を有している。連結部３ａは、保持部３ｂの一端部において互いに一定間隔を隔てて突出するように形成された２つの円筒体からなる。操作筐体５の内面における長手方向の一端部には、短手方向に延びるように円筒体６が形成されており、この円筒体６が２つの連結部３ａの間に同一軸線上に配置され、互いに回転可能に取り付けられることにより、ヒンジ部３が操作筐体５に対して回動可能に連結されている。
【００２９】
保持部３ｂは、矩形の板状に形成され、メイン表示部２ａを縦長状態としたときに、表示筐体２の外面におけるヒンジ部３側の半分程度に対向する。保持部３ｂは、表示筐体２をメイン表示部２ａに水平な面内で回転可能に保持しており、表示筐体２は、操作筐体５に対する傾斜角度を保った状態で回転できるようになっている。保持部３ｂの表示筐体２と反対側の外面には、主に筐体を閉じた状態で表示を行うためのサブ表示部１１が配置されている。
【００３０】
図３は、図２の携帯電話機１の表示筐体２を回転させた状態を示した斜視図であり、正面から見て図２の状態から時計回りに約４５°回転させた状態を示している。図４は、図２の携帯電話機１の表示筐体２を回転させた状態を示した斜視図であり、正面から見て図２の状態から時計回りに９０°回転させた状態を示している。ユーザは、操作筐体５を把持した状態で、表示筐体２をメイン表示部２ａに水平な面内において９０°の角度範囲内で回転させることにより、図２に示した縦長状態と図４に示した横長状態との間で表示筐体２を回転させることができる。
【００３１】
この携帯電話機１では、テレビ放送を視聴することができるようになっており、図２に示す状態から表示筐体２を回転させ、図３の状態を経て、図４に示すようにメイン表示部２ａを横長状態とすることにより、テレビ画像のアスペクト比に合致した横長状態のメイン表示部２ａにテレビ画像を良好に表示させることができる。メイン表示部２ａは、長辺と短辺の比が１６：９となる長方形形状に形成されており、この比は、一般的なデジタルテレビ放送に用いられるテレビ画像のアスペクト比と一致している。
【００３２】
図２の状態から表示筐体２を時計回りに回転させる場合、図３に示した状態となるまでは、ヒンジ部３の保持部３ｂ内に備えられた付勢手段により、表示筐体２に対して反時計回りに付勢力が作用するようになっている。したがって、図２の状態では、表示筐体２に対して反時計回りに作用する付勢力によって、外力が作用しない限り表示筐体２が図２の状態のまま維持されるようになっている。
【００３３】
一方、図３の状態を超えて表示筐体２をさらに時計回りに回転させると、表示筐体２に作用する付勢力が時計回りに切り替わり、図４に示した状態で表示筐体２が係止される。これにより、外力が作用しない限り表示筐体２が図４の状態のまま維持されるようになっている。
【００３４】
本実施の形態では、表示筐体２は一定位置に固定された回転軸を中心に回転するのではなく、表示筐体２の回転に伴って移動する回転軸を中心に回転するようになっている。これにより、図２に示すように長手方向の一端部が操作筐体５に近接した縦長状態の表示筐体２を９０°回転させても、図４に示すように表示筐体２の短手方向の一端部が操作筐体５に近接し、コンパクトに横長状態とされたメイン表示部２ａにテレビ画面を表示させてテレビ放送を視聴することができるようになっている。
【００３５】
また、操作筐体５を把持した状態のまま表示筐体２を縦長状態から横長状態に回転させることにより、携帯電話機１を持ち替えることなくテレビ放送を視聴することができる。このとき、表示筐体２に作用する付勢力により、表示筐体２を縦長状態と横長状態との間でスムーズに切り替えることができるようになっている。
【００３６】
図５〜図７は、図２〜図４の状態における携帯電話機１の背面図であり、それぞれ保持部３ｂ内の構造を透視した状態で示している。また、図８〜図１０は、図２〜図４の状態におけるヒンジ部３の正面図である。図５及び図８は、図２に示す縦長状態に対応し、図６及び図９は、表示筐体２を約４５°回転させた図３に示す状態に対応し、図７及び図１０は、図４に示す横長状態に対応している。
【００３７】
保持部３ｂ内には、矩形形状の保持板１６が配置されており、この保持板１６に表示筐体２が回転可能に保持されている。保持板１６には、横方向に円弧状に延びる円弧孔１２と、縦方向に直線状に延びる直線孔１４とが形成されている。円弧孔１２の中央部の頂点は、直線孔１４の一端部に近接しており、この頂点における法線方向に直線孔１４が延びている。
【００３８】
円弧孔１２及び直線孔１４には、それぞれ表示筐体２の背面側に形成された摺動軸１３及び回転軸１５が回転可能に係合している。摺動軸１３及び回転軸１５は、表示筐体２の背面に固定された軸保持部材１８に一体的に形成されており、それぞれ表示筐体２の中心に対してずれた位置に互いに一定間隔を隔てて配置されている。この軸保持部材１８は、保持部３ｂの前面に形成された開口３ｄを介して、保持部３ｂ内の保持板１６に係合している。
【００３９】
軸保持部材１８は、付勢手段としてのばねの一例である捩りコイルばね２０を介して、保持板１６に固定されている。捩りコイルばね２０は、その一端部が軸保持部材１８の摺動軸１３に結合されるとともに、他端部が保持板１６に形成された取付軸１９に結合されている。取付軸１９は、円弧孔１２の頂点に対する法線上に回転可能に配置されている。表示筐体２には、ヒンジ部３側から延びるフレキシブル基板２１の端部が回転軸１５の近傍において取り付けられており、このフレキシブル基板２１を介して、表示筐体２と操作筐体５とが電気的に接続されている。
【００４０】
図５及び図８に示す縦長状態では、回転軸１５が直線孔１４の下端に当接し、摺動軸１３が円弧孔１２の一端に当接している。この状態では、捩りコイルばね２０により摺動軸１３が円弧孔１２の一端側に付勢されており、外力が作用しない限り表示筐体２がこの状態のまま維持されるようになっている。
【００４１】
この状態から表示筐体２をヒンジ部３に対して回転させると、回転軸１５が直線孔１４に沿って上方へ移動するとともに、摺動軸１３が円弧孔１２に沿って他端側へ移動する。このとき、捩りコイルばね２０も取付軸１９を中心に回転し、その一端部と他端部とが互いに近接するように縮められる。そして、図６及び図９に示すように表示筐体２が約４５°回転された状態では、回転軸１５が直線孔１４の上端に当接し、摺動軸１３が円弧孔１２の頂点に到達する。
【００４２】
この状態では、捩りコイルばね２０の一端部と他端部とが最も近接した状態となり、さらに表示筐体２が回転されると、摺動軸１３及び取付軸１９の左右の位置が逆転し、捩りコイルばね２０の一端部と他端部とが再び離れていく。したがって、表示筐体２は、図６及び図９に示す回転位置を超えて回転されると、その後は捩りコイルばね２０の付勢力によってさらに回転され、図７及び図１０に示すような横長状態となる。
【００４３】
表示筐体２が横長状態のときには、回転軸１５が直線孔１４の下端に当接し、摺動軸１３が円弧孔１２の他端に当接している。この状態では、捩りコイルばね２０により摺動軸１３が円弧孔１２の他端側に付勢されており、外力が作用しない限り表示筐体２がこの状態のまま維持されるようになっている。
【００４４】
図１１は、表示筐体２を横長状態で折り畳んだ場合の携帯電話機１の平面図である。図１１に示すように、表示筐体２を横長状態で折り畳むと、操作筐体５の内面に配置された多数の操作キー４のうちの一部が表示筐体２の内面に対向し、それ以外の操作キー４が露出した状態となる。本実施の形態では、表示筐体２を横長状態で折り畳むと、多数の操作キー４のうちヒンジ部３と反対側に配置されたテンキーの一部を含む操作キー４、より具体的には、「７」、「８」、「９」、「＊」、「０」、「♯」の６つの操作キー４が露出した状態となる。
【００４５】
図１２は、この携帯電話機１の電気的構成の一例を示したブロック図である。この携帯電話機１は、上述したメイン表示部２ａ、サブ表示部１１、受話用レシーバ８、送話用マイクロホン７及び操作キー４に加えて、スピーカ９、外部入出力端子１０、回転位置検知部２２、開閉検知部２３、セルラー通信部２４、テレビ放送受信部２５、チューナ２６、リモコン信号送信部２７、キー割り当て記憶部２８及び操作履歴格納部２９を備えており、それらの動作が、プロセッサからなる制御部３０により制御されるようになっている。
【００４６】
メイン表示部２ａ及びサブ表示部１１には、それぞれバックライト装置２ｂ，１１ｂが備えられている。これらのバックライト装置２ｂ，１１ｂが、メイン表示部２ａ及びサブ表示部１１の各表示画面を裏側から照明することにより、各表示画面にバックライトを点灯させることができるようになっている。
【００４７】
スピーカ９は、受話用レシーバ８から出力される場合よりも音声を増幅して出力することにより、表示筐体２から耳を離した状態で音声を聞くことができるようにするためのものである。また、外部出力端子１０にイヤホンマイクなどの外部入出力装置１０ａを接続すれば、その外部入出力装置１０ａを介して音声を入出力することができる。
【００４８】
回転位置検知部２２及び開閉検知部２３は、例えば機械的又は電気的なスイッチにより構成されている。回転位置検知部２２は、ユーザによる表示筐体２の回転操作を検出することにより、表示筐体２の回転位置を検知する。一方、開閉検知部２３は、ユーザによる表示筐体２の開閉操作を検出することにより、表示筐体２が折り畳まれた状態であるか否かを検出する。
【００４９】
セルラー通信部２４は、通信用アンテナ２４ａを介して基地局との間で電波の送受信を行うことにより、通話音の送受信を行っている。相手方電話機との間で通話状態が確立された状態では、ユーザの通話音に基づく音声信号がセルラー通信部２４から送信され、相手方電話機からの通話音に基づく音声信号がセルラー通信部２４で受信されることにより、通話音がリアルタイムで送受信される。
【００５０】
テレビ放送受信部２５は、テレビ放送受信用アンテナ２５ａを介して、テレビ局から発信されているテレビ放送波を受信するためのものである。テレビ局から発信されているテレビ放送波には、アナログ放送に対応したアナログ放送波と、デジタル放送に対応したデジタル放送波とが含まれている。このテレビ放送受信部２５が受信するデジタル放送波は、一般のデジタルハイビジョン放送波の一定帯域に割り当てられた携帯電話機向けの１セグメント放送波であり、テレビ画像及びテレビ音声に加えて、そのテレビ画像に対応する字幕や関連する記事などの文字情報が含まれている。
【００５１】
チューナ２６は、テレビ放送受信部２５により受信されるテレビ放送波から、指定されたチャンネル番号のテレビ放送波を抽出するチューニング手段である。すなわち、ユーザが操作キー４を操作してチャンネル番号を指定することにより、指定されたチャンネル番号のテレビ放送波がチューナ２６により抽出される。そして、抽出されたテレビ放送波に基づいてメイン表示部２ａにテレビ画像を表示するとともに、そのテレビ画像に対応するテレビ音声をスピーカ９又は外部入出力端子１０から出力することにより、テレビ放送を視聴することができる。
【００５２】
一般的に、３０〜３００ＭＨｚの周波数帯であるＶＨＦ(Very High Frequency)には、周波数に応じて「１」〜「１２」のチャンネル番号が割り当てられている。また、３００〜３０００ＭＨｚの周波数帯であるＵＨＦ(Ultra High Frequency)には、周波数に応じて「１３」〜「６２」のチャンネル番号が割り当てられている。これらのチャンネル番号のいずれかを指定して、そのチャンネル番号に割り当てられているテレビ放送波を受信することにより、チャンネル番号に応じたテレビ放送を視聴することができる。
【００５３】
リモコン信号送信部２７は、セルラー通信部２４において送受信する無線信号よりも到達距離の短い無線信号として、例えば赤外線信号を送信する信号送信手段である。このリモコン信号送信部２７が送信する無線信号の到達範囲は、例えば数ｍ〜数十ｍ以下である。
【００５４】
リモコン信号送信部２７は、一般の家庭用テレビ受像機１００において受信可能な無線信号としてのリモコン信号を送信することができるようになっている。すなわち、一般の家庭用テレビ受像機１００は、通常、付属のリモートコントローラ（図示せず）から送信されるリモコン信号を受信するためのリモコン信号受信部１０１が備えられており、リモコン信号送信部２７は、リモコン信号受信部１０１で受信可能なリモコン信号を送信することができるようになっている。
【００５５】
キー割り当て記憶部２８は、操作キー４の操作に対して実行される処理の割り当てを記憶している。キー割り当て記憶部２８には、表示筐体２が開かれているときの各操作キー４に対する処理の割り当てを記憶している開状態キー割り当て記憶部２８ａと、表示筐体２が横長状態で折り畳まれているときの各操作キー４に対する処理の割り当てを記憶している閉状態キー割り当て記憶部２８ｂとが備えられている。
【００５６】
本実施の形態では、表示筐体２を横長状態としてテレビ放送を視聴しているときに、図１１に示すように表示筐体２が横長状態のまま折り畳まれた場合、リモコン信号送信部２７から家庭用テレビ受像機１００のリモコン信号受信部１０１へ、当該家庭用テレビ受像機１００の電源をオンとオフに相互に切り替えるための電源切替信号が送信される。このとき、チューナ２６で抽出されたテレビ放送波のチャンネル番号、すなわち当該携帯電話機１において視聴していたテレビ放送に対応するチャンネル番号も、リモコン信号送信部２７から家庭用テレビ受像機１００のリモコン信号受信部１０１へ送信されるようになっている。
【００５７】
また、テレビ放送の視聴中に表示筐体２が横長状態で折り畳まれた場合に、図１１に示すように露出している操作キー４に対して、リモコン信号送信部２７から家庭用テレビ受像機１００の動作を操作するためのリモコン信号を送信する処理が割り当てられるようになっている。より具体的には、家庭用テレビ受像機１００から出力されるテレビ音声の音量を段階的に増加又は減少させるためのリモコン信号を送信する処理や、家庭用テレビ受像機１００において受信されるテレビ放送波のチャンネル番号を段階的に増加又は減少させるためのリモコン信号を送信する処理、家庭用テレビ受像機１００の電源をオンとオフに相互に切り替えるためのリモコン信号を送信する処理などが割り当てられるようになっている。
【００５８】
このような構成により、テレビ放送の視聴中に表示筐体２を横長状態で折り畳むことによって、自動的に家庭用テレビ受像機１００の電源をオンし、その家庭用テレビ受像機１００に、それまでメイン表示部２ａに表示されていたテレビ画像のチャンネル番号と同じチャンネル番号のテレビ画像を表示させることができる。その後、表示筐体２に対向せずに露出した操作キー４を操作することにより、家庭用テレビ受像機１００の動作を操作することができる。
【００５９】
したがって、表示筐体２を折り畳むというテレビ放送の視聴を終了しようとする操作に連動させて、自動的に家庭用テレビ受像機１００の電源をオンして、その家庭用テレビ受像機１００で継続して同じチャンネル番号のテレビ放送を視聴することができるとともに、その後は露出した操作キー４の操作により家庭用テレビ受像機１００の動作を操作することができるので、利便性が向上する。
【００６０】
また、表示筐体２を横長状態で折り畳んだときに露出している操作キー４に対して、家庭用テレビ受像機１００の電源をオンとオフに相互に切り替えるためのリモコン信号を送信する処理を割り当てることにより、表示筐体２が横長状態で折り畳まれて、自動的にオンされた家庭用テレビ受像機１００の電源を、露出した操作キー４の操作によりオフすることができる。
【００６１】
ここで、表示筐体２が横長状態で折り畳まれる際に、既に家庭用テレビ受像機１００の電源がオンしている場合には、表示筐体２が折り畳まれる操作に連動して、家庭用テレビ受像機１００の電源がオフしてしまう。しかし、表示筐体２を横長状態で折り畳んだときに露出している操作キー４に対して、家庭用テレビ受像機１００の電源をオンとオフに相互に切り替えるためのリモコン信号を送信する処理を割り当てれば、このような場合に、表示筐体２を折り畳んだ後に露出している操作キー４を操作することにより、家庭用テレビ受像機１００の電源をオンすることができる。したがって、利便性がさらに向上する。
【００６２】
操作履歴格納部２９は、テレビ放送の視聴中に表示筐体２が横長状態で折り畳まれた場合に、表示筐体２に対向せずに露出している操作キー４に対するその後の操作の履歴を格納する。すなわち、表示筐体２を折り畳んだ後に露出している操作キー４を操作することにより、リモコン信号送信部２７から家庭用テレビ受像機１００の動作を操作するためのリモコン信号を送信した場合に、その操作キー４の操作に関する情報が履歴として操作履歴格納部２９に格納されるようになっている。操作履歴格納部２９には、チャンネル番号格納部２９ａ及びチャンネル番号テーブル２９ｂが備えられている。
【００６３】
チャンネル番号テーブル２９ｂには、テレビ放送波の各チャンネル番号が、一定の順序に従って対応付けられている。操作キー４を用いて、家庭用テレビ受像機１００において受信されるテレビ放送波のチャンネル番号を段階的に増加又は減少させるための操作が行われた場合には、チャンネル番号テーブル２９ｂに基づいて、その操作によるチャンネル番号の切替回数に応じたチャンネル番号が特定され、そのチャンネル番号がリモコン信号送信部２７から家庭用テレビ受像機１００へ送信されるようになっている。チャンネル番号テーブル２９ｂは、携帯電話機１のメモリに予め記憶されていてもよいし、サーバ（図示せず）から基地局を介してセルラー通信によりダウンロードできるようになっていてもよい。
【００６４】
チャンネル番号格納部２９ａは、表示筐体２を折り畳んだ後に露出している操作キー４が操作されることにより、家庭用テレビ受像機１００において受信されるテレビ放送波のチャンネル番号が段階的に増加又は減少された場合に、チャンネル番号テーブル２９ｂに基づいて、そのときリモコン信号送信部２７から家庭用テレビ受像機１００へ送信されたチャンネル番号を格納する。これにより、操作キー４の操作によって切り替えられた家庭用テレビ受像機１００において受信されるテレビ放送波のチャンネル番号と、チャンネル番号格納部２９ａに格納されるチャンネル番号とを一致させることができる。
【００６５】
本実施の形態では、テレビ放送の視聴中に表示筐体２が横長状態で折り畳まれ、表示筐体２に対向せずに露出している操作キー４の操作によって、家庭用テレビ受像機１００において受信されるテレビ放送波のチャンネル番号が切り替えられた後、表示筐体２が再び開かれた場合に、チャンネル番号格納部２９ａに格納されているチャンネル番号を読み出して、そのチャンネル番号のテレビ画像をメイン表示部２ａに表示させることができるようになっている。これにより、それまで家庭用テレビ受像機１００で受信していたテレビ放送波のチャンネル番号と同じチャンネル番号のテレビ画像をメイン表示部２ａに表示させることができる。
【００６６】
したがって、表示筐体２を折り畳まれている状態から開くというテレビ放送の視聴を再開しようとする操作に連動させて、自動的に、家庭用テレビ受像機１００で受信していたテレビ放送波のチャンネル番号と同じチャンネル番号のテレビ画像をメイン表示部２ａに表示させ、そのテレビ放送を継続して視聴することができるので、利便性がさらに向上する。
【００６７】
図１３は、表示筐体２を回転及び開閉させたときの動作について説明するためのブロック図である。本実施の形態において、制御部３０は、プログラム処理を実行することにより、画面表示制御部３１、信号送信処理部３２及びキー操作処理部３３として機能する。
【００６８】
画面表示制御部３１は、メイン表示部２ａの表示画面に対する表示を制御している。画面表示制御部３１は、テレビ放送受信部２５で受信され、チューナ２６により抽出されたテレビ放送波に基づいて、テレビ画像をメイン表示部２ａに表示させる。画面表示制御部３１には、バックライト制御部３４が備えられており、このバックライト制御部３４がメイン表示部２ａのバックライト装置２ｂを制御することにより、メイン表示部２ａの表示画面に対してバックライトを点灯又は消灯することができるようになっている。
【００６９】
画面表示制御部３１には、回転位置検知部２２及び開閉検知部２３からの検知信号が入力されるようになっており、テレビ画像の表示中に表示筐体２が閉じられた場合には、バックライト制御部３４がメイン表示部２ａに対するバックライトを消灯させ、テレビ画像の表示を停止させるようになっている。また、テレビ画像の表示中に表示筐体２が横長状態で折り畳まれ、その後に再び表示筐体２が横長状態のまま開かれた場合には、バックライト制御部３４がメイン表示部２ａに対するバックライトを点灯させ、テレビ画像の表示が再開されるようになっている。
【００７０】
信号送信処理部３２は、リモコン信号送信部２７から家庭用テレビ受像機１００へリモコン信号を送信する処理を行う。信号送信処理部３２には、回転位置検知部２２及び開閉検知部２３からの検知信号が入力されるようになっており、上述の通り、表示筐体２を横長状態としてテレビ放送を視聴しているときに、表示筐体２が横長状態のまま折り畳まれた場合には、信号送信処理部３２からリモコン信号送信部２７を介して、家庭用テレビ受像機１００の電源を切り替えるための電源切替信号と、チューナ２６で抽出されたテレビ放送波のチャンネル番号とが、家庭用テレビ受像機１００へ送信されるようになっている。
【００７１】
キー操作処理部３３は、キー割り当て記憶部２８に記憶されている割り当てに基づいて、操作キー４の操作に対する処理を行う。キー操作処理部３３には、回転位置検知部２２及び開閉検知部２３からの検知信号が入力されるようになっており、表示筐体２が開かれた状態のときには、開状態キー割り当て記憶部２８ａに記憶されている割り当てに基づいて、操作筐体５の内面に配置されているすべての操作キー４に対して、それぞれ異なる処理が割り当てられる。一方、表示筐体２が横長状態で折り畳まれているときには、閉状態キー割り当て記憶部２８ｂに記憶されている割り当てに基づいて、操作筐体５の内面に配置されている多数の操作キー４のうち、図１１に示すように露出している操作キー４に対して、それぞれ異なる処理が割り当てられる。
【００７２】
表示筐体２が横長状態で折り畳まれているときに、露出している操作キー４に対する操作が行われた場合には、閉状態キー割り当て記憶部２８ｂに記憶されている割り当てに基づいて、その操作キー４に対応するリモコン信号がキー操作処理部３３により選択され、そのリモコン信号が信号送信処理部３２を介してリモコン信号送信部２９から家庭用テレビ受像機１００へ送信される。
【００７３】
このとき、露出している操作キー４の操作により、家庭用テレビ受像機１００において受信されるテレビ放送波のチャンネル番号を段階的に増加又は減少させる処理が行われた場合には、そのチャンネル番号の切替を表すチャンネル切替信号とチャンネル番号テーブル２９ｂに基づいて特定されたチャンネル番号が、チャンネル番号格納部２９ａに格納される。その後に表示筐体２が横長状態のまま開かれた場合には、上述の通り、チャンネル番号格納部２９ａに格納されているチャンネル番号が読み出され、そのチャンネル番号のテレビ放送波がチューナ２６により抽出されて、当該チャンネル番号のテレビ画像がメイン表示部２ａに表示される。
【００７４】
図１４は、テレビ放送の視聴中に表示筐体２を横長状態で折り畳んだときの制御部３０による処理の一例を示したフローチャートである。テレビ放送の視聴中に表示筐体２が横長状態で折り畳まれると、画面表示制御部３１のバックライト制御部３４が、メイン表示部２ａのバックライト装置２ｂを消灯状態とし（ステップＳ１０１）、メイン表示部２ａに対するテレビ画像の表示が停止される。
【００７５】
このとき、信号送信処理部３２からリモコン信号送信部２７を介して、家庭用テレビ受像機１００の電源を切り替えるための電源切替信号が送信されるとともに（ステップＳ１０２）、チューナ２６で抽出されたテレビ放送波のチャンネル番号が送信される（ステップＳ１０３）。また、キー操作処理部３３が、各操作キー４に対する処理の割り当てを開状態キー割り当て記憶部２８ａから閉状態キー割り当て記憶部２８ｂに切り替える（ステップＳ１０４）。
【００７６】
その後、表示筐体２に対向せずに露出している操作キー４が操作された場合には、キー操作処理部３３が、その操作キー４に対応する処理を行う（ステップＳ１０５〜Ｓ１０８）。すなわち、露出している操作キー４を用いて、家庭用テレビ受像機１００において受信されるテレビ放送波のチャンネル番号を切り替えるための操作が行われた場合には（ステップＳ１０５でＹｅｓ）、その切替回数に応じたチャンネル番号がリモコン信号として信号送信処理部３２からリモコン信号送信部２７を介して送信される（ステップＳ１０６）。このとき、チャンネル切替信号とチャンネル番号テーブル２９ｂに基づいて特定されたチャンネル番号が、チャンネル番号格納部２９ａに格納される（ステップＳ１０７）。
【００７７】
一方、露出している操作キー４を用いて、家庭用テレビ受像機１００において受信されるテレビ放送波のチャンネル番号を切り替えるための操作以外の操作が行われた場合には（ステップＳ１０５でＮｏ）、その操作に応じた処理、例えば、家庭用テレビ受像機１００から出力されるテレビ音声の音量を段階的に増加又は減少させるためのリモコン信号を送信する処理や、家庭用テレビ受像機１００の電源をオンとオフに相互に切り替えるためのリモコン信号を送信する処理などが行われる（ステップＳ１０８）。
【００７８】
その後、表示筐体２が横長状態のまま開かれた場合には（ステップＳ１０９でＹｅｓ）、画面表示制御部３１のバックライト制御部３４が、メイン表示部２ａのバックライト装置２ｂを点灯状態とし（ステップＳ１１０）、メイン表示部２ａに対するテレビ画像の表示を再開させる。
【００７９】
このとき、チャンネル番号格納部２９ａに格納されているチャンネル番号が読み出され（ステップＳ１１１）、そのチャンネル番号のテレビ画像がメイン表示部２ａに表示されることにより（ステップＳ１１２）、それまで家庭用テレビ受像機１００で受信していたテレビ放送波のチャンネル番号と同じチャンネル番号のテレビ画像がメイン表示部２ａに表示される。そして、信号送信処理部３２からリモコン信号送信部２７を介して、家庭用テレビ受像機１００の電源を切り替えるための電源切替信号が送信されることにより（ステップＳ１１３）、家庭用テレビ受像機１００の電源がオフされる。
【００８０】
このように、表示筐体２を折り畳まれている状態から開くというテレビ放送の視聴を再開しようとする操作に連動させて、自動的に家庭用テレビ受像機１００の電源をオフし、家庭用テレビ受像機１００で受信していたテレビ放送波のチャンネル番号と同じチャンネル番号のテレビ画像をメイン表示部２ａに表示させて、そのテレビ放送を継続して視聴することができるので、利便性がさらに向上する。
【００８１】
本実施の形態では、表示筐体２が折り畳まれている状態で横長状態から縦長状態へ回転された場合にも（ステップＳ１１４でＹｅｓ）、信号送信処理部３２からリモコン信号送信部２７を介して、家庭用テレビ受像機１００の電源を切り替えるための電源切替信号が送信されるようになっている（ステップＳ１１３）。
【００８２】
したがって、表示筐体２を横長状態で折り畳まれている状態から縦長状態へ回転させる操作に連動させて、自動的に家庭用テレビ受像機１００の電源をオフすることができる。表示筐体２が折り畳まれた状態のまま縦長状態になると、露出していた操作キー４が表示筐体２に対向して操作できなくなるため、このような操作に連動させて家庭用テレビ受像機１００の電源をオフすることにより、利便性がさらに向上する。
【００８３】
本実施の形態では、表示筐体２は一定位置に固定された回転軸を中心に回転するのではなく、表示筐体２の回転に伴って上下動する回転軸を中心に回転するような構成について説明したが、このような構成に限らず、本発明は、メイン表示部２ａに水平な面内で表示筐体２が縦長状態と横長状態との間で回転可能な構成であれば、表示筐体２が固定された回転軸を中心に回転するような携帯電話機にも適用可能である。
【００８４】
また、上記実施の形態では、表示筐体２を横長状態で折り畳んだ場合の処理について説明したが、表示筐体２を縦長状態で折り畳んだ場合にも、家庭用テレビ受像機１００の電源を切り替えるための電源切替信号と、チューナ２６で抽出されたテレビ放送波のチャンネル番号とが送信されるようになっていてもよい。この場合、表示筐体を縦長状態及び横長状態に回転可能な構成とはせず、縦長状態で固定された状態で折り畳み可能な構成とし、そのような表示筐体を折り畳む操作に連動させて、電源切替信号及びチャンネル番号が送信されるような構成としてもよい。
【図面の簡単な説明】
【００８５】
【図１】本発明の実施の形態による携帯電話機の一例を示した斜視図であり、筐体を閉じた状態を示している。
【図２】図１の携帯電話機の筐体を展開した状態を示した斜視図である。
【図３】図２の携帯電話機の表示筐体を回転させた状態を示した斜視図であり、正面から見て図２の状態から時計回りに約４５°回転させた状態を示している。
【図４】図２の携帯電話機の表示筐体を回転させた状態を示した斜視図であり、正面から見て図２の状態から時計回りに９０°回転させた状態を示している。
【図５】図２の状態における携帯電話機の背面図であり、保持部内の構造を透視した状態で示している。
【図６】図３の状態における携帯電話機の背面図であり、保持部内の構造を透視した状態で示している。
【図７】図４の状態における携帯電話機の背面図であり、保持部内の構造を透視した状態で示している。
【図８】図２の状態におけるヒンジ部の正面図である。
【図９】図３の状態におけるヒンジ部の正面図である。
【図１０】図４の状態におけるヒンジ部の正面図である。
【図１１】表示筐体を横長状態で折り畳んだ場合の携帯電話機の平面図である。
【図１２】この携帯電話機の電気的構成の一例を示したブロック図である。
【図１３】表示筐体を回転及び開閉させたときの動作について説明するためのブロック図である。
【図１４】テレビ放送の視聴中に表示筐体を横長状態で折り畳んだときの制御部による処理の一例を示したフローチャートである。
【符号の説明】
【００８６】
１  携帯電話機
２  表示筐体
２ａ  メイン表示部
２ｂ  バックライト装置
３  ヒンジ部
４  操作キー
５  操作筐体
７  送話用マイクロホン
８  受話用レシーバ
９  スピーカ
１０  外部入出力端子
１０ａ  外部入出力装置
２２  回転位置検知部
２３  開閉検知部
２４  セルラー通信部
２４ａ  通信用アンテナ
２５  テレビ放送受信部
２５ａ  テレビ放送受信用アンテナ
２６  チューナ
２７  リモコン信号送信部
２８  キー割り当て記憶部
２８ａ  開状態キー割り当て記憶部
２８ｂ  閉状態キー割り当て記憶部
２９  操作履歴格納部
２９ａ  チャンネル番号格納部
２９ｂ  チャンネル番号テーブル
３０  制御部
３１  画面表示制御部
３２  信号送信処理部
３３  キー操作処理部
３４  バックライト制御部
１００  家庭用テレビ受像機
１０１  リモコン信号受信部
【図１】
2007195121.tif 000003
【図２】
2007195121.tif 000004
【図３】
2007195121.tif 000005
【図４】
2007195121.tif 000006
【図５】
2007195121.tif 000007
【図６】
2007195121.tif 000008
【図７】
2007195121.tif 000009
【図８】
2007195121.tif 000010
【図９】
2007195121.tif 000011
【図１０】
2007195121.tif 000012
【図１１】
2007195121.tif 000013
【図１２】
2007195121.tif 000014
【図１３】
2007195121.tif 000015
【図１４】
2007195121.tif 000016